(57)【特許請求の範囲】
【請求項１】
容器の口筒部に取着され、キャップ本体と上蓋とからなるヒンジキャップにおいて、
キャップ本体は、容器口筒部に嵌着される係合筒部と注出筒と、係合筒部外周に連設され、上端外周の所定位置にヒンジを連設する外周筒部とからなり、
係合筒部は、上壁と内筒と外筒と蓋係合部を具え、
外筒の外周には、ヒンジの反対側、および、ヒンジ近辺の所定の位置に、外周筒部の一部を形成する連設部が配設され、
外筒の下端部内周には、係合突条が設けられ、ヒンジの反対側の連設部の両側の位置に、切込みが凹設され、
外周筒部は、上端外周にヒンジが連設されるとともに、ヒンジの反対側の連設部からヒンジ側の連設部まで連設された引張壁部と、引張壁部の反対側に連設された壁部とを具え、
引張壁部と壁部との下端部は、それぞれ外筒の下端部と連設されており、
引張壁部のヒンジ側の連設部側端部に、引張壁部を連設部から切断可能とする弱化部が設けられていることを特徴とするヒンジキャップ。
【請求項２】
引張壁部内周と外筒外周は、ヒンジ連設部の弱化壁と、間隔をおいて複数配設された破断可能な弱化片とを介して連設されていることを特徴とする請求項１記載のヒンジキャップ。
【請求項３】
引張壁部のヒンジ側の連設部側端部の弱化部に対して、ヒンジを中心とする反対側に、縦方向の途中まで切断可能とする弱化部が、内周上部に設けられていることを特徴とする請求項１または２記載のヒンジキャップ。
【発明の詳細な説明】
【技術分野】
【０００１】
本発明は、ヒンジキャップ、とくに、廃棄時に、容器と簡単に分別できるヒンジキャップに関するものである。
【背景技術】
【０００２】
内容液を充填した容器本体に打栓するヒンジキャップにおいて、内容液を全て使用した後に、容器とキャップを分別廃棄できるヒンジキャップは、従来より知られている（例えば、特許文献１参照）。
【特許文献１】特開２００３−２４６３３８号公報
【発明の開示】
【発明が解決しようとする課題】
【０００３】
しかしながら、上記特許文献１記載の従来のヒンジキャップでは、リング体（３）と外筒（５）との間のヒンジの反対側に連結部（７）を配設し、複数の弱化部（８）を連結部（７）以外にヒンジを中心として円弧状に配設しているため、分別廃棄する際に、蓋体（２）を引き上げ、複数の弱化部（８）を円弧の中央部から両側へ向かって切断していくことになり、リング体（３）のヒンジ側を引き上げる力が中央部から両側に分力されるので、弱化部（８）を切断するのに、ある程度強い力が必要であった。
【０００４】
本発明は、上記問題を解決することを課題とし、キャップと容器本体を分別廃棄する際に、弱い力で安定して分別できるようにしたヒンジキャップを提供することを目的とする。
【課題を解決するための手段】
【０００５】
本発明は、上記の課題を解決するため、ヒンジキャップとして、容器の口筒部に取着され、キャップ本体と上蓋とからなるヒンジキャップにおいて、キャップ本体は、容器口筒部に嵌着される係合筒部と注出筒と、係合筒部外周に連設され、上端外周の所定位置にヒンジを連設する外周筒部とからなり、係合筒部は、上壁と内筒と外筒と蓋係合部を具え、外筒の外周には、ヒンジの反対側、および、ヒンジ近辺の所定の位置に、外周筒部の一部を形成する連設部が配設され、外筒の下端部内周には、係合突条が設けられ、ヒンジの反対側の連設部の両側の位置に、切込みが凹設され、外周筒部は、上端外周にヒンジが連設されるとともに、ヒンジの反対側の連設部からヒンジ側の連設部まで連設された引張壁部と、引張壁部の反対側に連設された壁部とを具え、引張壁部と壁部との下端部は、それぞれ外筒の下端部と連設されており、引張壁部のヒンジ側の連設部側端部に、引張壁部を連設部から切断可能とする弱化部が設けられていることを特徴とする構成を採用する。
【０００６】
キャップ本体の外筒と引張壁部の実施例として、引張壁部内周と外筒外周は、ヒンジ連設部の弱化壁と、間隔をおいて複数配設された破断可能な弱化片とを介して連設されていることを特徴とする構成を採用する。
【０００７】
引張壁部のヒンジ部の折り曲げを容易にするために、引張壁部のヒンジ側の連設部側端部の弱化部に対して、ヒンジを中心とする反対側に、縦方向の途中まで切断可能とする弱化部が、内周上部に設けられていることを特徴とする構成を採用する。
【発明の効果】
【０００８】
容器本体の口筒部に取着され、容器口筒部に嵌着される係合筒部と注出筒と、係合筒部外周に連設され、上端外周の所定位置にヒンジを連設する外周筒部とからなるキャップ本体と上蓋とからなるヒンジキャップにおいて、外周筒部は、上端外周にヒンジを連設するとともに、ヒンジの反対側の連設部からヒンジ側の連設部まで延びる引張壁部と、引張壁部の反対側の壁部とを具えており、上蓋を引張ると、引張壁部がヒンジ側の連設部近辺が切断され、引張壁部を引張ることにより、引張壁部を係合筒部の外筒から切離しつつ、外筒の一部を変形させるので、容器本体の口筒部からヒンジキャップを簡単に取外し、分別廃棄することができる。
【発明を実施するための最良の形態】
【０００９】
次に、本発明のヒンジキャップについて、図面を参照して説明する。
図１において、Ａは容器に打栓されるキャップ本体、Ｂはキャップ本体ＡにヒンジＣを介して一体成形された上蓋である。
【００１０】
キャップ本体Ａは、係合筒部１と、係合筒部１の内側に連設される注出筒２と、係合筒部１外周に連設され、上端外周の所定位置にヒンジＣを連設する外周筒部３とからなっている。
【００１１】
係合筒部１は、リング状の上壁４と、上壁４の内周縁に垂設された内筒５と、上壁４の外周縁に垂設された外筒６と、上壁４の上部に立設され、上蓋Ｂと係合する蓋係合部７とからなっている。
内筒５の下端から内方に環状底壁８が連設され、環状底壁８の内縁には、注出筒２が立設されている。
【００１２】
図１、２に示すように、外筒６の外周には、ヒンジＣの反対側、および、ヒンジＣ側近辺の所定の位置のそれぞれに、外周筒部３の一部を形成する連設部９と連設部１０とが配設されている。
【００１３】
外筒６の下端部には、内周に係合突条１１が周設され、外周の連設部９の両側の位置に、内周から凹設される切込み１２が設けられている。
外筒６には、両方の切込み１２により、連設部９を外周に連設する変形壁部６ａが区画されている。
打栓時には、係合筒部１は、内筒５外周と外筒６内周により、容器の口筒部を挟持するとともに、係合突条１１が係合し、キャップ本体Ａを容器の口筒部に装着させる。
【００１４】
注出筒２の内周下部には、底壁１３が設けられており、底壁１３には、注出口を開口するための薄肉の弱化部１４により区画された除去部１５が設けられており、除去部１５には、プルリング１６が立設されている。
【００１５】
外周筒部３は、連設部９の外端９ａから連設部１０の外端１０ａまでの引張壁部３ａと、引張壁部３ａの反対側に、連設部９の外端９ｂから連設部１０の外端１０ｂまでの壁部３ｂとを具え、連設部９と連設部１０の外面とともに同一の円周に形成されており、引張壁部３ａの連設部１０側の上端外周にヒンジＣが連設されている。
【００１６】
引張壁部３ａには、外端１０ａ側端部に、縦方向に引張壁部３ａを連設部１０から切断可能とする薄肉の弱化部１７が内周に凹設され、ヒンジＣを中心に弱化部１７の反対側には、縦方向の途中まで薄肉の弱化部１８が、内周上部に凹設されている。
引張壁部３ａ内周下端と外筒６外周下端は、間隔をおいて複数配設された破断可能な弱化片１９、ヒンジＣ連設部に配設された破断可能な弱化壁２０を介して連設されている。
【００１７】
壁部３ｂの外端部９ｂ側端部には、縦方向に連設部９を壁部３ｂから切断可能とする薄肉の弱化部２１が内周に凹設されている。
壁部３ｂ内周下端と外筒６外周下端は、薄肉の底壁２２を介して連設されている。
【００１８】
上蓋Ｂは、頂壁２５と、頂壁２５の周縁に垂設された外周壁２６とを具えており、頂壁２５下面には、キャップ本体Ａの注出筒２の内周に挿入される密封リング２７が垂設されている。
外周壁２６の外周下端の所定の位置に、ヒンジＣが連設され、ヒンジＣの反対側には、つまみ２８が突設されている。
【００１９】
外周壁２６の内周下端は、拡径され、キャップ本体Ａの係合筒部１の蓋係合部７と係合する係合部２９が設けられている。
【００２０】
次に、本発明のヒンジキャップの作用効果について説明する。
容器の組立は、上蓋Ｂの外周壁２６の係合部２９とキャップ本体Ａの蓋係合部７とを係合させるとともに、上蓋Ｂの密封リング２７とキャップ本体Ａの注出筒２とを係合させ、上蓋Ｂをキャップ本体Ａに閉蓋した後、容器内に内容液を充填し、容器口筒部に、閉蓋したヒンジキャップを上方から打栓する。
【００２１】
本発明のヒンジキャップは、上蓋Ｂを開蓋し、キャップ本体Ａのプルリング１６を引張り、除去部１５を底壁１３から除去して開口し、注出筒２から内容液を注出することができるとともに、上蓋Ｂを閉蓋すると、容器内を密封することができる。
【００２２】
内容液を全て使用した後、ヒンジキャップを容器から取外して分別廃棄する際には、まず、上蓋Ｂを把持し、上蓋Ｂを下方に引張る。
上蓋Ｂを下方に引張ると、ヒンジＣを介して、キャップ本体Ａの引張壁部３ａのヒンジＣ連設部が引張られ、引張壁部３ａの弱化部１７および弱化部１８を切断していき、まず、図３に示すように、弱化部１８側の切断が止まり、ついで、図４（ａ）に示すように、弱化部１７が完全に切断される。
次に、上蓋Ｂを横方向に引張ると、引張壁部３ａ内周下端と外筒６外周下端との弱化壁２０、および弱化片１９を切断し、引張壁部３ａを変形させながら、図４（ｂ）に示すように、引張壁部３ａのヒンジＣ側を連設部１０から離していく。
【００２３】
さらに引張ると、図５に示すように、引張壁部３ａにより連設部９が引張られ、連設部９と壁部３ｂとの間の弱化部２１を切断するとともに、連設部９と連設する変形壁部６ａを外側に引張る。
変形壁部６ａが外側に引張られると、変形壁部６ａ、および変形壁部６ａ付近の外筒６を変形させ、容器口部と係合突条１１との係合を外し、ヒンジキャップを容器口部から取外して分別廃棄することができる。
【００２４】
その際、変形壁部６ａが外側に引張られると、両側の切込み１２が切断されるので、外筒６に対して、切込み１２により区画された変形壁部６ａが、より変形し易くなり、変形壁部６ａの係合突条１１の部分から容器口部との係合を外し易くすることができる。
【００２５】
前記実施例では、キャップ本体Ａの引張壁部３ａに、引張壁部３ａを連設部９から切断可能とする弱化部１７と、縦方向の途中までの弱化部１８を設けたが、ヒンジＣを引張り、弱化部１７を切断することができればよいので、弱化部１８を設けなくてもよい。
また、弱化壁２０、および底壁２２を形成することで、キャップの外周筒部３、およびヒンジＣと上蓋Ｂを成形する際、樹脂の流路として成形が容易となるが、別になくてもよい。
【００２６】
前記実施例では、引張壁部３ａにおいて、外筒６外周下端と外周筒部３内周下端とは、破断可能な弱化片１９および弱化壁２０によって連設しているが、外筒６外周と、外周筒部３内周との関連構造については、弱化片１９に代えて破断可能な薄肉の弱化壁を用い、弱化壁２０に代えて弱化片を用いてもよく、また、下端を連設することに代えて上端、或いは中間部を連設するようにしてもよい。
また、外筒６と外周筒部３との間に、適当な間隙を設けるようにしてもよい。
さらに、壁部３ｂについても、引張壁部３ａと同様に適宜変更することができる。
したがって、外筒６と外周筒部３との関連構造については、実施例に限定されない。
【産業上の利用可能性】
【００２７】
本発明は、ヒンジキャップにおいて、上蓋、またはヒンジ側の外周筒部を引張ることによって、簡単にヒンジキャップを容器口部から取外して、分別廃棄することができるので、各種の内容液の容器の分別廃棄可能のヒンジキャップとして、広く利用することができる。
【図面の簡単な説明】
【００２８】
【図１】本発明ヒンジキャップの説明図で、（ａ）は断面側面図、（ｂ）は下面図である。
【図２】キャップ本体の説明図で、（ａ）は正面図、（ｂ）は裏面図である。
【図３】上蓋を引張った時の要部拡大図で、（ａ）は上面図、（ｂ）は断面側面図ある。
【図４】引張壁部の引張り変形時の説明図で（ａ）は変形始めの下面図、（ｂ）は変形中の下面図である。
【図５】引張壁部を引張った時の要部拡大図で、（ａ）は断面側面図、（ｂ）は下面図である。
【符号の説明】
【００２９】
Ａ          キャップ本体
Ｂ          上蓋
Ｃ          ヒンジ
１          係合筒部
２          注出筒
３          外周筒部
３ａ        引張壁部
３ｂ        壁部
４          上壁
５          内筒
６          外筒
６ａ        変形壁部
７          蓋係合部
８          環状底壁
９、１０    連設部
９ａ、９ｂ、１０ａ、１０ｂ  外端
１１        係合突条
１２        切込み
１３        底壁
１４、１７、１８、２１  弱化部
１５        除去部
１６        プルリング
１９        弱化片
２０        弱化壁
２２        底壁
２５        頂壁
２６        外周壁
２７        密封リング
２８        つまみ
２９        係合部
【図１】
0005384000.tif 000002
【図２】
0005384000.tif 000003
【図３】
0005384000.tif 000004
【図４】
0005384000.tif 000005
【図５】
0005384000.tif 000006